(57)【要約】【課題】放送中の系統とバックアップ系統との番組映像データに差異が生じた場合に、それぞれの系統ごとでデータがどう違うかをオペレータが即座に判別することができる放送システムおよび放送方法を提供する。【解決手段】第１オンエア情報と番組の素材情報とが格納された第１データベースと第２オンエア情報と番組の素材情報とが格納された第２データベースと第１オンエア情報を送出する第１送出部と第２オンエア情報を送出する第２送出部と第１オンエア情報と第２オンエア情報とを比較して第１オンエア情報に対する第２オンエア情報の差異を判定する第１判定部と第２送出部から送出された第２オンエア情報と第１送出部から送出された第１オンエア情報とを比較して第２オンエア情報に対する第１オンエア情報の差異を判定する第２判定部と各判定部の判定に基づいて各差異情報を報知する報知部とアラーム装置を備える。【選択図】図１
2008236051.tif 000002
【特許請求の範囲】
【請求項１】
放送制御信号を同報送信する上位制御装置と、前記上位制御装置から送信された放送制御信号をネットワークを介して受信して番組映像データを出力する第１の放送送出装置および第２の放送送出装置と、前記第１の放送送出装置および第２の放送送出装置からそれぞれ送出される番組映像データのうちの選択された一方を出力する切替ユニットとを備える放送システムにおいて、
前記第１の放送送出装置は、
番組の放送内容、属性、種別、対象を特定するための情報を含む第１オンエア情報と番組の素材情報とが格納された第１データベースと、
前記上位制御装置から受信された放送制御信号に従って、前記第１データベースから第１オンエア情報と番組の素材情報とを読み出して第１番組映像データを構成して送出する第１送出部と、
前記第２の放送送出装置から取得した第２オンエア情報と、前記第１送出部により前記第１データベースから読み出された第１オンエア情報とを比較して、現在送出中の第１番組映像データの第１オンエア情報に対する第２オンエア情報の差異を判定する第１判定部と、
前記第１判定部による判定の結果、差異が生じた前記第２オンエア情報の差異情報を出力する第１報知部とを備え、
前記第２の放送送出装置は、
前記第１番組映像データのバックアップ用として、前記第１オンエア情報と同等の第２オンエア情報と番組の素材情報とが格納された第２データベースと、
前記上位制御装置から受信された放送制御信号に従って、前記第２データベースから第２オンエア情報と番組の素材情報とを読み出して第２番組映像データを構成して送出する第２送出部と、
前記第１の放送送出装置から取得した第１オンエア情報と、前記第２送出部により前記第２データベースから読み出された第２オンエア情報とを比較して、現在送出中の第２番組映像データの第２オンエア情報に対する第１オンエア情報の差異を判定する第２判定部と、
前記第２判定部による判定の結果、差異が生じた前記第１オンエア情報の差異情報を出力する第２報知部とを備え、
前記第１の放送送出装置および前記第２の放送送出装置から出力された各差異情報を対応させて報知するアラーム装置を具備することを特徴とする放送システム。
【請求項２】
ネットワークに放送制御信号を同報送信する上位制御装置と、
番組の放送内容、属性、種別、対象を特定するための情報を含む第１オンエア情報と番組の素材情報とが格納された第１データベースと、
前記第１番組映像データのバックアップ用として、前記第１オンエア情報と同等の第２オンエア情報と番組の素材情報とが格納された第２データベースと、
前記上位制御装置から受信された放送制御信号に従って、前記第１データベースから第１オンエア情報と番組の素材情報とを読み出して第１番組映像データを構成して送出する第１送出部と、
前記上位制御装置から受信された放送制御信号に従って、前記第２データベースから第２オンエア情報と番組の素材情報とを読み出して第２番組映像データを構成して送出する第２送出部と、
前記第１送出部により前記第１データベースから読み出された第１オンエア情報と前記第２送出部により前記第２データベースから読み出された第２オンエア情報とを比較して、現在送出中の第１番組映像データの第１オンエア情報に対する第２番組映像データの第２オンエア情報の差異を判定する第１判定部と、
前記第２送出部により前記第２データベースから読み出された第２オンエア情報と前記第１送出部により前記第１データベースから読み出された第１オンエア情報とを比較して、現在送出中の第２番組映像データの第２オンエア情報に対する第１番組映像データの第１オンエア情報の差異を判定する第２判定部と、
前記第１判定部による判定の結果、差異が生じた前記第２オンエア情報の差異情報を出力する第１報知部と、
前記第２判定部による判定の結果、差異が生じた前記第１オンエア情報の差異情報を出力する第２報知部と、
出力ソース切り替え用のスイッチを有し、前記第１送出部から送出された第１番組映像データおよび前記第２送出部から送出された第２番組映像データのうち、前記スイッチにより切り替えられた番組映像データを放送用のデータとして出力する切替ユニットと、
前記第１報知部および第２報知部から出力された各差異情報を対応させて報知するアラーム装置と
を具備することを特徴とする放送システム。
【請求項３】
放送制御信号を同報送信する上位制御装置と、前記上位制御装置から送信された放送制御信号をネットワークを介して受信して番組映像データを出力する第１の放送送出装置および第２の放送送出装置と、前記第１の放送送出装置および第２の放送送出装置からそれぞれ送出される番組映像データのうちの選択された一方を出力する切替ユニットとを備える放送システムにおける放送方法において、
前記上位制御装置からネットワークへ同報された放送制御信号を前記第１の放送送出装置と前記第１の放送送出装置がそれぞれ受信するステップと、
前記第１の放送送出装置が、受信した放送制御信号に従って、番組を構成するために予め蓄積された第１オンエア情報と番組の素材情報の中から、該当する第１オンエア情報と番組素材を読み出して前記第１番組映像データを生成して前記切替ユニットへ送出するステップと、
前記第２の放送送出装置が、受信した放送制御信号に従って、前記番組を構成するために予め蓄積された前記第１オンエア情報と同等の第２オンエア情報と番組素材の中から該当する第２オンエア情報と番組の素材情報を読み出して前記第２番組映像データを生成して前記切替ユニットへ送出するステップと、
前記第１オンエア情報に対する前記第２オンエア情報の差異を前記第１の放送送出装置が判定し、前記第１オンエア情報に対する前記第２オンエア情報の差異を前記第１の放送送出装置が判定し、前記第２オンエア情報の差異情報を出力するステップと、
前記第２オンエア情報に対する前記第１オンエア情報の差異を前記第２の放送送出装置が判定し、前記第１オンエア情報の差異情報を出力するステップと、
前記第１の放送送出装置および前記第２の放送送出装置から出力された各差異情報をアラーム装置が対応させて報知するステップと
を具備することを特徴とする放送方法。
【請求項４】
上位制御装置から同報された放送制御信号をネットワークを介して第１送出部及び第２送出部が受信するステップと、
前記第１送出部が、受信した放送制御信号に従って、番組を構成するために予め蓄積された第１オンエア情報と番組の素材情報の中から、該当する第１オンエア情報と番組の素材情報を読み出して第１番組映像データを生成して送出するステップと、
前記第２送出部が、受信した放送制御信号に従って、前記番組を構成するために予め前記第１オンエア情報と同等に蓄積された第２オンエア情報と番組素材の中から、該当する第２オンエア情報と番組の素材情報を読み出して第２番組映像データを生成して送出するステップと、
前記第１送出部により読み出された前記第１オンエア情報に対する前記第２オンエア情報の差異を第１判定部が判定するステップと、
前記第２送出部により読み出された前記第２オンエア情報に対する前記第１オンエア情報の差異を第２判定部が判定するステップと、
前記第１判定部による判定の結果、差異が生じた前記第２オンエア情報の差異情報を第１報知部が出力するステップと、
前記第２判定部による判定の結果、差異が生じた第１オンエア情報の差異情報を第２報
知部が出力するステップと、
前記第１報知部および前記第２報知部から出力された各差異情報をアラーム装置が対応
させて報知するステップと
を具備することを特徴とする放送方法。
【発明の詳細な説明】
【技術分野】
【０００１】
本発明は、冗長化構成における放送システムおよび放送方法に関する。
【背景技術】
【０００２】
従来、主に番組を流す主系統と、この主系統に何らかの不具合が発生したときに切り替えられるバックアップ系統の２つの放送系統に冗長化された放送システムが知られている。
【０００３】
従来、一つの差異検出装置内に主系統とバックアップ系統を備え、主系統とバックアップ系統それぞれから送出される映像・音声からなる番組情報を単純に比較して番組情報の差異を検出する技術が既に公開されている（例えば、特許文献１参照）。
【特許文献１】特開２００６−１５７７４３公報
【発明の開示】
【発明が解決しようとする課題】
【０００４】
しかしながら、上記従来の技術の場合、主系統とバックアップ系統との番組映像データどうしの差異を検出するものの、単なる違いが検出されるだけであり、系統ごとにデータがどう違うか等といった具現化はなされていない。このため、オペレータによる系統ごとの番組映像データの差異の判別に時間が掛かってしまうこともあった。
【０００５】
本発明は、かかる従来の問題を解消すべくなされたもので、放送中の主系統とバックアップ系統との番組映像データに差異が生じた場合に、それぞれの系統ごとでデータがどう違うかをオペレータが即座に判別することができる放送システムおよび放送方法を提供することを目的とする。
【課題を解決するための手段】
【０００６】
上記の目的を達成するために本発明の一形態にかかる放送システムは放送制御信号を同報送信する上位制御装置と、前記上位制御装置から送信された放送制御信号をネットワークを介して受信して番組映像データを出力する第１の放送送出装置および第２の放送送出装置と、前記第１の放送送出装置および第２の放送送出装置からそれぞれ送出される番組映像データのうちの選択された一方を出力する切替ユニットとを備える放送システムにおいて、前記第１の放送送出装置は、番組の放送内容、属性、種別、対象を特定するための情報を含む第１オンエア情報と番組の素材情報とが格納された第１データベースと、前記上位制御装置から受信された放送制御信号に従って、前記第１データベースから第１オンエア情報と番組の素材情報とを読み出して第１番組映像データを構成して送出する第１送出部と、前記第２の放送送出装置から取得した第２オンエア情報と、前記第１送出部により前記第１データベースから読み出された第１オンエア情報とを比較して、現在送出中の第１番組映像データの第１オンエア情報に対する第２オンエア情報の差異を判定する第１判定部と、前記第１判定部による判定の結果、差異が生じた前記第２オンエア情報の差異情報を出力する第１報知部とを備え、前記第２の放送送出装置は、前記第１番組映像データのバックアップ用として、前記第１オンエア情報と同等の第２オンエア情報と番組の素材情報とが格納された第２データベースと、前記上位制御装置から受信された放送制御信号に従って、前記第２データベースから第２オンエア情報と番組の素材情報とを読み出して第２番組映像データを構成して送出する第２送出部と、前記第１の放送送出装置から取得した第１オンエア情報と、前記第２送出部により前記第２データベースから読み出された第２オンエア情報とを比較して、現在送出中の第２番組映像データの第２オンエア情報に対する第１オンエア情報の差異を判定する第２判定部と、前記第２判定部による判定の結果、差異が生じた前記第１オンエア情報の差異情報を出力する第２報知部とを備え、前記第１の放送送出装置および前記第２の放送送出装置から出力された各差異情報を対応させて報知するアラーム装置を具備する。
【０００７】
本発明の一形態にかかる放送方法は、上位制御装置から同報された放送制御信号をネットワークを介して第１送出部及び第２送出部が受信するステップと、前記第１送出部が、受信した放送制御信号に従って、番組を構成するために予め蓄積された第１オンエア情報と番組素材の中から、該当する第１オンエア情報と番組素材を読み出して第１番組映像データを生成して送出するステップと、前記第２送出部が、受信した放送制御信号に従って、前記番組を構成するために予め前記第１オンエア情報と同等に蓄積された第２オンエア情報と番組素材の中から、該当する第２オンエア情報と番組素材を読み出して第２番組映像データを生成して送出するステップと、前記第１送出部により読み出された前記第１オンエア情報に対する前記第２オンエア情報の差異を第１判定部が判定するステップと、前記第２送出部により読み出された前記第２オンエア情報に対する前記第１オンエア情報の差異を第２判定部が判定するステップと、前記第１判定部による判定の結果、差異が生じた前記第２オンエア情報の差異情報を第１報知部が出力するステップと、前記第２判定部による判定の結果、差異が生じた第１オンエア情報の差異情報を第２報知部が出力するステップと、前記第１報知部および前記第２報知部から出力された各差異情報をアラーム装置が対応させて報知するステップとを具備する。
【発明の効果】
【０００８】
本発明によれば、放送中の系統とバックアップ系統との番組映像データに差異が生じた場合に、それぞれの系統ごとでデータがどう違うかをオペレータが即座に判別することができる。
【発明を実施するための最良の形態】
【０００９】
以下、図面を参照して、本発明の一形態にかかる実施の形態を詳細に説明する。
（第１の実施形態）
図１は、本発明の実施の一形態にかかる放送システム１の構成を示すブロック図である。同図に示すように放送システム１は、ＡＰＣ（Auto Program Controller:自動番組運行装置）５、第１の放送送出装置１０、第２の放送送出装置２０、切替ユニット３０、アラーム装置４０、エンコーダ５０を備える。これら機器は、例えばＬＡＮ（ローカルエリアネットワーク）などで接続されている。
【００１０】
ＡＰＣ５は予め番組を順に放送するための番組運行情報を内部のメモリに記憶しており、番組運行情報の手順に従って放送制御信号をＵＤＰによる同報送信で、ＬＡＮに送信する上位制御装置として機能する。
ＡＰＣ５は放送制御信号を第１の放送送出装置１０および第２の放送送出装置２０に同報送信することによって、第１の放送送出装置１０および第２の放送送出装置２０の動作をリアルタイムに制御する。
【００１１】
放送制御信号とは、第１の放送送出装置１０と第２の放送送出装置２０の放送送出動作を制御するための信号である。この放送制御信号は、時刻ごとに送出する番組の番組コード、番組を構成する番組素材の素材コード等を含む信号である。
「番組コード」は番組の放送内容を特定するための情報である。
第１の放送送出装置１０は、第１送出部１１、第１データベース１２、第１判定部１３、第１報知部１４を有している。
【００１２】
第１送出部１１はＡＰＣ５からの放送制御信号を受信する。第１送出部１１は受信した放送制御信号に基づいて、予め第１データベース１２に蓄積された第１オンエア情報１２１と番組の素材情報（以下、番組素材と称す）１２２とを読み出して第１番組映像データを生成して切替ユニット３０へ送出する。
第１送出部１１は、切替ユニット３０に第１番組映像データを送出する際に、第１判定部１３にこの第１番組映像データの第１オンエア情報１２１を送出する。
【００１３】
第１データベース１２には、番組素材１２２と第１番オンエア情報１２１とが蓄積されている。番組素材１２２は、例えば映像データや音声データなどの番組の収録データと、映像データに重畳するスーパー映像のデータ（字幕データ、天気マークや時計マーク、二カ国語マーク、日本語字幕データなど）、などである。
第１番オンエア情報１２１は放送制御信号に対応する番組コード、放送メディア、送出レンジ、言語情報の少なくとも一つを含んでいる。
【００１４】
上述したように「番組コード」は番組の放送内容を特定するための情報である。
「放送メディア」は番組の属性を特定するための情報である。「番組の属性」は例えばデジタルハイビジョン、衛星第１放送、衛星第２放送を示す。
「送出レンジ」は番組の対象を特定するための情報である。「番組の対象」とは例えば、放送信号を送出する地域である。
「言語情報」は番組の放送内容を特定するための情報である。「言語情報」は例えば英語や日本語などの音声や字幕の情報である。
【００１５】
第１判定部１３は第１制御部１３１、タイマ１３２、メモリ１３３、カウンタ１３４を有しており、この装置から送出されている第１番組映像データの第１オンエア情報１２１と第２の放送送出装置２０から取得した後述する第２オンエア情報２２１とを比較し、２つのオンエア情報１２２、２２２の差異の有無を判定する。
第１制御部１３１は第１送出部１１から送出された現在送出中の第１番組映像データの第１オンエア情報１２１をメモリ１３３に記億する。
【００１６】
第１制御部１３１は所定時間間隔でタイマ１３２を動作させ所定の時間を計時させる。
「所定の時間」は計時時間情報としてメモリ１３３にあらかじめ記憶されたものである。第１制御部１３１はまずメモリ１３３から計時情報を読み込んでタイマ１３２を制御する。
なお、「所定の時間」は例えば３秒、５秒、１０秒ないしそれ以上の秒数などであり、この例では、５秒とする。
【００１７】
第１制御部１３１は、５秒間隔で、第２の放送送出装置２０に対してオンエア情報送信要求信号を送出する。オンエア情報送信要求信号は、第２の放送送信装置２０が現在送出している第２番組映像データの第２のオンエア情報２２１（後述）を取得するための信号である。
オンエア情報送信要求信号は、第１制御部１３１がタイマ１３２に計時させた時間ごとに送出される。
【００１８】
タイマ１３２のタイムアップ時刻を例えば５秒などに設定した場合、第２の放送送出装置２０に対して５秒おきにオンエア情報送信要求信号が送出される。
第１制御部１３１は送信したオンエア情報送信要求信号に対して第２の放送送出装置２０から返信されてきた第２オンエア情報２２１を受信し、メモリ１３３に記憶する。
これにより、メモリ１３３には、第１オンエア情報１２１と第２オンエア情報２２１が記憶される。
【００１９】
第１制御部１３１は、メモリ１３３に記憶された第１オンエア情報１２１と第２オンエア情報２２１とを比較してこれらのオンエア情報の差異の有無と、差異があった場合の差異の内容を判定する。
すなわち第１制御部１３１は、第１送出部１１が現在切替ユニット３０に対して送出中の第１番組映像データの第１オンエア情報１２１に対する第２番組映像データの第２オンエア情報２２１の差異を判定する。
第１制御部１３１は、第１オンエア情報１２１に対して第２オンエア情報２２１に差異があった場合、カウンタ１３４を制御して不一致回数をプラス１加算する。
【００２０】
メモリ１３３には、例えば１回、３回、６回、１０回などといったカウント数の閾値が記憶されている。この閾値はアラーム出力の基準値になる。この例では閾値として例えば３回が設定されているものとする。
第１制御部１３１はカウンタ１３４による第１オンエア情報１２１と第２オンエア情報２２１との差異のカウント数、つまり不一致回数が３回に達した場合、アラームを発音すると共に、エラーメッセージの表示を行うよう第１報知部１４を制御する。なお、アラームの発音とエラーメッセージの表示はいずれか一方のみでも良い。
【００２１】
また、第１制御部１３１は第２の放送送出装置２０からのオンエア情報送信要求信号を受信する。
第２の放送送出装置２０からのオンエア情報送信要求信号は、第１の放送送信装置１０が現在送出している第１番組映像データの第１のオンエア情報１２１を第２の放送送出装置２０が取得するための信号である。
第１制御部１３１は、この第２の放送送出装置２０からのオンエア情報送信要求信号を受信した場合、メモリ１３３から現在送信中の第１オンエア情報１２１を読み出し、第２の放送送出装置２０へ送出する。
【００２２】
第１制御部１３１は第２オンエア情報２２１を受信した場合、タイマ１３２に計時開始コマンドを出し、タイマ１３２を動作する。
タイマ１３２は第１制御部１３１の制御によって計時動作を開始し、所定時間（ここでは５秒）を計時すると、タイムアップしたことを第１制御部１３１に通知する。タイマ１３２は、タイムアップ通知後、第１制御部１３１によってリセットされる。なおタイムアップ通知後、タイマ１３２が自らカウント値をリセットしてもよい。
【００２３】
メモリ１３３には、例えばタイマ１３２のタイムアップ時間、第１オンエア情報１２１、第２オンエア情報２２１、カウンタ１３４のカウント数（閾値）などが記憶される。
第１オンエア情報１２１およびまたは第２オンエア情報２２１は、第１制御部１３１によってタイマ１３２の計時の開始と同期してメモリ１３３に記憶される。タイマ１３２のタイムアップ時間が５秒ならば、第１オンエア情報１２１と第２オンエア情報２２１とは５秒おきにメモリ１３３に記憶される。
なお、第１オンエア情報１２１と第２オンエア情報２２１とは、それぞれ別々のタイミングで取得しても良いが、同じ放送時刻のオンエア情報どうしを比較する。
【００２４】
カウンタ１３４は第１制御部１３１によってカウントを制御される。この「カウントの制御」は第１オンエア情報１２１と第２オンエア情報２２１との不一致回数のカウントおよびカウントした不一致回数のリセットである。
「不一致回数のリセット」は不一致回数が所定回数カウントされる度に、第１制御部１３１によってカウントした値を０にされることである。
第１報知部１４は、第１制御部１３１に制御されてアラーム装置４０に対してアラームの発音およびまたはエラーメッセージの表示の制御を行う。
【００２５】
第１報知部１４のアラーム装置４０に対する制御は、アラーム装置４０に対して所定のエラーメッセージおよびまたは音声信号を送信することで行う。第１報知部１４はアラーム装置４０に対して所定のエラーコードを送信することもできる。
以上説明したように、第１の放送送出装置１０はメインの番組放送用の機器（第１放送系統）であり、第１オンエア情報１２１と番組素材１２２とを蓄積し、受信された放送制御信号に従って第１番組映像データを生成し、切替ユニット３０へ送出するものである。
第２の放送送出装置２０は、第２送出部２１、第２データベース２２、第２判定部２３、第２報知部２４を有している。
【００２６】
第２送出部２１はＡＰＣ５からの放送制御信号をＬＡＮを介して受信する。第２送出部２１は受信した放送制御信号に基づいて、予め第２データベース２２に蓄積された第２オンエア情報２２１と番組素材２２２とを読み出して第２番組映像データとして切替ユニット３０へ送出する。なお、第２オンエア情報２２１と番組素材２２２と第１オンエア情報１２１と番組素材１２２はほぼ同じ内容である。
したがって番組素材２２２は、例えば映像データや音声データなどの番組の収録データと、映像データに重畳するスーパー映像のデータ（字幕データ、天気マークや時計マーク、二カ国語マーク、日本語字幕データなど）、などである。
【００２７】
第２送出部２１は、切替ユニット３０に第２番組映像データを送出する際に、第２判定部２３にこの第２番組映像データに対応する第２オンエア情報２２１を送出する。
第２判定部２３は第２制御部２３１、タイマ２３２、メモリ２３３、カウンタ２３４を有しており、この装置から送出されている第２番組映像データの第２オンエア情報２２１と第１の放送送出装置１０から取得した第１オンエア情報１２１とを比較し、２つのオンエア情報１２１、２２１の差異の有無を判定する。
第２制御部２３１は第２送出部２１から送出された現在送出中の第２番組映像データの第２オンエア情報２２１をメモリ２３３に記億する。
第２制御部２３１は所定時間間隔でタイマ２３２を動作させ所定の時間を計時させる。
タイマ２３２の計時方法および動作はタイマ１３２と同様であるのでここでは詳細な説明は省略する。なお、「所定の時間」は例えば３秒、５秒、１０秒ないしそれ以上の秒数などであり、この例では、タイマ１３２と同様５秒とする。
第２制御部２３１は、５秒間隔で、第１の放送送出装置１０に対してオンエア情報送信要求信号を送出する。このオンエア情報送信要求信号は、第１の放送送信装置１０が現在送出している第１番組映像データの第１のオンエア情報１２１を取得するための信号である。
【００２８】
オンエア情報送信要求信号は、第２制御部２３１がタイマ２３２に計時させた時間ごとに送出される。タイマ２３２のタイムアップ時刻を例えば５秒などに設定した場合、第１の放送送出装置１０に対して５秒おきにオンエア情報送信要求信号が送出される。
第２制御部２３１は送信したオンエア情報送信要求信号に対して第１の放送送出装置１０から返信されてきた第１オンエア情報１２１を受信し、メモリ２３３に記憶する。
これにより、メモリ２３３には、第２オンエア情報２２１と第１オンエア情報１２１が記憶される。
【００２９】
第２制御部２３１は、メモリ２３３に記憶された第２オンエア情報２２１と第１オンエア情報１２１とを比較してこれらのオンエア情報の差異の有無と、差異があった場合の差異の内容を判定する。
すなわち第２制御部２３１は、第２送出部２１が現在切替ユニット３０に対して送出中の第２番組映像データの第２オンエア情報２２１に対する第１番組映像データの第１オンエア情報１２１の差異を判定する。
第２制御部２３１は、第２オンエア情報２２１に対して第１オンエア情報１２１に差異があった場合、カウンタ２３４を制御して不一致回数をプラス１加算する。
【００３０】
メモリ２３３には、例えば１回、３回、６回、１０回などといったカウント数の閾値が記憶されている。この閾値はメモリ１２２に記憶されたカウンタ１３４がカウントするカウント数の閾値と同様アラーム出力の基準値になる。この例では閾値として例えば３回などが設定されているものとする。
第２制御部２３１はカウンタ２３４による第２オンエア情報２２１と第１オンエア情報１２１との差異のカウント数、つまり不一致回数が３回に達した場合、アラームを発音すると共に、エラーメッセージの表示を行うよう第２報知部２４を制御する。
【００３１】
なお、アラームの発音とエラーメッセージの表示はいずれか一方のみでも良い。
また、第２制御部２３１は第１の放送送出装置１０からのオンエア情報送信要求信号を受信する。第１の放送送出装置１０からのオンエア情報送信要求信号は、第２の放送送信装置２０が現在送出している第２番組映像データの第２のオンエア情報２２１を第１の放送送出装置１０が取得するための信号である。
第２制御部２３１はこの第１の放送送出装置１０からのオンエア情報送信要求信号を受信した場合、メモリ２３３から現在送信中の第２オンエア情報２２１を読み出し、第１の放送送出装置１０へ送出する。
【００３２】
第２制御部２３１は第１オンエア情報１２１を受信した場合、タイマ２３２に計時開始コマンドを出し、タイマ２３２を動作する。
タイマ２３２は第２制御部２３１の制御によって計時動作を開始し、所定時間（例えば数秒程度）を計時すると、タイムアップしたことを第２制御部２３１に通知する。タイマ２３２は、タイムアップ通知後、第２制御部２３１によってリセットされる。なおタイムアップ通知後、タイマ２３２が自らカウント値をリセットしてもよい。
メモリ２３３には、例えばタイマ２３２のタイムアップ時間、第２オンエア情報２２１、第１オンエア情報１２１、カウンタ２３４のカウント数（閾値）などが記憶される。
【００３３】
第２オンエア情報２２１およびまたは第１オンエア情報１２１は、第２制御部２３１によってタイマ２３２の計時の開始と同期してメモリ２３３に記憶される。タイマ２３２のタイムアップ時間が５秒ならば、第２オンエア情報２２１と第１オンエア情報１２１とは５秒おきにメモリ１３３に記憶される。
なお、第２オンエア情報２２１と第１オンエア情報１２１とは、それぞれ別々のタイミングで取得しても良いが、同じ放送時刻のオンエア情報どうしを比較する。
カウンタ２３４は第２制御部２３１によってカウントを制御される。
【００３４】
この「カウントの制御」は第２オンエア情報２２１と第１オンエア情報１２１との不一致回数のカウントおよびカウントした不一致回数のリセットである。
「不一致回数のリセット」は不一致回数が所定回数カウントされる度に、第２制御部２３１によってカウントした値を０にされることである。
第２報知部２４は、第２制御部２３１に制御されてアラーム装置４０に対してアラームの発音およびまたはエラーメッセージの表示の制御を行う。第２報知部２４のアラーム装置４０に対する制御は、アラーム装置４０に対して所定のエラーメッセージおよびまたは音声信号を送信することで行う。
【００３５】
第２報知部２４はアラーム装置４０に対して所定のエラーコードを送信することもできる。
以上説明したように、第２の放送送出装置２０はバックアップ用の機器（第２放送系統）であり、第２オンエア情報２２１と番組素材２２２とを蓄積し、受信された放送制御信号に従って第２番組映像データを生成し、切替ユニット３０へ送出するものである。
アラーム装置４０はスピーカ４１、モニタ４２を有している。アラーム装置４０は第１報知部１４およびまたは第２報知部２４に制御されアラームを発音またエラーメッセージの表示を行う。
【００３６】
アラーム装置４０はスピーカ４１、モニタ４２の他、例えばランプを設け、ランプの点滅によってオンエア情報の差異の有無を報知してもよい。
スピーカ４１は第１判定部１３およびまたは第２判定部２３によるオンエア情報の比較の結果、第１報知部１４およびまたは第２報知部２４から出力された音声信号に基づいてアラーム音を発音するアラーム発音装置である。
スピーカ４１のアラーム音の発音は特に限定されず所望の音で発音可能である。
スピーカ４１によるアラーム音の発音は、例えば電子音、ビープ音や合成音声などである。
【００３７】
スピーカ４１による発音は、第１報知部１４によって制御された場合と第２報知部２４によって制御された場合とで異種の音を発音することができる。
スピーカ４１の構成は、この実施形態に限定されるものではなく、例えば第１報知部１４から出力された音声信号を発するスピーカ、第２報知部２４から出力された音声信号を発するスピーカ、つまり２台のスピーカを用いてもよい。
モニタ４２は第１判定部１３およびまたは第２判定部２３によるオンエア情報の比較の結果、第１報知部１４およびまたは第２報知部２４から出力されたエラーメッセージを表示する表示装置である。
【００３８】
モニタ４２の構成は、この実施形態に限定されるものではなく、例えば第１報知部１４から出力されたエラーメッセージを表示するモニタ、第２報知部２４から出力されたエラーメッセージを表示するモニタ、つまり２台のモニタを用いてもよい。
切替ユニット３０は第１制御部１３１およびまたは第２制御部２３１から送出された第１、第２番組映像データのうち、スイッチ操作された側の番組映像データをエンコーダ５０へ出力する。したがって切替ユニット３０はスイッチ操作を行うためのスイッチ３１を有している。
【００３９】
エンコーダ５０は切替ユニット３０から出力された第１または第２番組映像データを放送データとして送信するためのものである。
以上のように構成された放送システム１では、まずＡＰＣ５から第１の放送送出装置１０および第２の放送送出装置２０へ放送制御信号が同報送信される。
第１放送送出装置１０ではこの放送制御信号の受信に基づいて第１データベース１２に格納された第１オンエア情報１２１と、第２データベース２２に格納された第２オンエア情報２２１とを比較して、現在送出中の第１番組映像データの第１オンエア情報１２１に対する第２番組映像データの第２オンエア情報２２１の差異を判定する。
【００４０】
第２放送送出装置２０では放送制御信号の受信に基づいて第２データベース２２に格納された第２オンエア情報２２１と、第１データベース１２に格納された第１オンエア情報１２１とを比較して、現在送出中の第２番組映像データの第２オンエア情報２２１に対する第１番組映像データの第１オンエア情報１２１の差異を判定する。
判定の結果、互いのオンエア情報に差異が生じた場合、アラーム装置４０によってアラーム音の発音およびエラーメッセージの表示が行われる。
また、第１放送送出装置１０から送出された第１番組映像データおよび第２放送送出装置２０から送出された第２番組映像データは切替ユニット３０が受信する。
【００４１】
切替ユニット３０は受信した第１番組映像データまたは第２番組映像データをエンコーダ５０へ送出する。切替ユニット３０は切替スイッチ３１の切替動作によって第１、第２番組映像データ１２１、２２１の送出をどちらか一方に切替える。
次に図２を用いてモニタ４２に表示されるエラー表示およびエラー復帰メッセージについて説明する。すなわち図２はモニタ４２の表示の一例を示す概念図である。
同図に示すようにモニタ４２は第１エラー表示画面４２１、第２エラー表示画面４２２、第１エラー復帰メッセージ画面４２３、第２エラー復帰メッセージ画面４２４を有している。
【００４２】
第１エラー表示画面４２１には第１報知部１４の制御によって現在切替ユニット３０へ送出中の第１番組映像データの第１オンエア情報１２１に対する第２番組映像データの第２オンエア情報２２１の差異情報が表示される。
第１エラー表示画面４２１には第１放送送出装置１０によってオンエア情報の差異判定がなされていることを示す情報（「判定装置：第１放送送出装置」）が表示される。
この表示される「情報」は特に限定されるものではなく例えば「第１放送送出装置」や「判定元：第１放送送出装置」など種々のものでかまわない。
【００４３】
また、判定対象が第２番組映像データに付加された第２オンエア情報２２１である情報（例えば「判定対称：第２放送送出装置」など）も表示することができる。
つまり、第１エラー表示画面４２１には第１放送送出装置１０が、第１オンエア情報１２１に対する第２オンエア情報２２１の差異を判定していることが表示されればよい。
第１エラー表示画面４２１にはオンエア情報の差異情報が表示される（「第１オンエア情報に対する第２オンエア情報が不一致です」）。この差異情報の表示は特に限定されるものではなく単に「オンエア情報不一致です」とすることもできる。
【００４４】
第１エラー表示画面４２１には所定のエラーコードが表示される（「エラーコード１０００」）。この「エラーコード」は例えば第１報知部１４から送出されるコードを表示することができる。また、「エラーコード」はモニタ４２が表示したメッセージの通算番号でもよい。この場合には「エラーコード１０００」は１０００個目の表示のことである。
第１エラー表示画面４２１は差異が有った場合、第１もしくは第２オンエア情報の一つである番組コードを表示する（「第１放送送出装置：番組コード（１１１１−１１１）」、「第２放送送出装置：素材コード（１１１１−１１２）」）。
【００４５】
もちろん第１エラー表示画面４２１が表示するオンエア情報は番組コードに限定される物ではなく、放送メディア、送出レンジ、言語情報の少なくともいずれかを表示することができる。
第２エラー表示画面４２２には第２報知部２４の制御によって現在切替ユニット３０へ送出中の第２番組映像データの第２オンエア情報２２１に対する第１番組映像データの第１オンエア情報１２１の差異情報が表示される。
第２エラー表示画面４２２には第２放送送出装置２０によってオンエア情報の差異判定がなされていることを示す情報（「判定装置：第２放送送出装置」）が表示される。
【００４６】
この表示される「情報」は特に限定される物ではなく例えば「第２放送送出装置」や「判定元：第２放送送出装置」など種々のものでかまわない。また、判定対象が第１番組映像データに付加された第１オンエア情報１２１である情報（例えば「判定対称：第１放送送出装置」など）も表示することができる。
つまり、第２エラー表示画面４２２には第２放送送出装置２０が、第２オンエア情報２２１に対する第１オンエア情報１２１の差異を判定していることが表示されればよい。
第２エラー表示画面４２２にはオンエア情報の差異情報が表示される（「第２オンエア情報に対する第１オンエア情報が不一致です」）。
【００４７】
第２エラー表示画面４２２には所定のエラーコードが表示される（「エラーコード１００１」）。この「エラーコード」は例えば第２報知部２４から送出されたコードを表示することができる。
第２エラー表示画面４２２は差異が有ると判定された第２もしくは第１オンエア情報の一つである番組コードを表示する（「第１放送送出装置：番組コード（１１１１−１１３）」、「第２放送送出装置：素材コード（１１１１−１１４）」）。
もちろん第２エラー表示画面４２２が表示するオンエア情報は番組コードに限定される物ではなく、放送メディア、送出レンジ、言語情報の少なくともいずれかを表示することができる。
【００４８】
第１エラー復帰メッセージ画面４２３には第１エラー表示画面４２１のエラー表示に対応するオンエア情報の不一致が復帰した場合に、復帰したことを示す情報が表示される（「第１オンエア情報に対する第２オンエア情報の不一致が回復しました」）。
オンエア情報の不一致の復帰メッセージは特に限定されず単に「オンエア情報不一致が回復しました」などとすることもできる。
すなわち、第１エラー復帰メッセージ画面４２３には第１エラー表示画面４２１と対応する種々の情報が表示される。
【００４９】
第２エラー復帰メッセージ画面４２４には第２エラー表示画面４２２に表示されたエラーに対応するオンエア情報の不一致が復帰した場合に、復帰したことを示す情報が表示される（「第２オンエア情報に対する第１オンエア情報の不一致が回復しました」）。
オンエア情報の不一致の復帰メッセージは特に限定されず第１エラー復帰メッセージ画面４２３と同様に例えば「オンエア情報不一致が回復しました」などとすることができる。
【００５０】
すなわち、第２エラー復帰メッセージ画面４２３には第２エラー表示画面４２２と対応する種々の情報が表示される。
次に図３を用いて第１判定部１３による現在送出中の第１番組映像データの第１オンエア情報に対する第１番組映像データ２２１の第２オンエア情報の差異判定について説明する。すなわち図３は第１判定部１３の差異判定動作を示すフローチャートである。
まずＡＰＣが放送制御信号を放送送出装置１０に送出する（Ｓ３０１）。このとき放送制御信号は第２の放送送出装置２０にも同報送信される。
【００５１】
この放送制御信号に基づいて放送送出装置１０は第１データベース１２に蓄積されている第１オンエア情報１２１を第１判定部１３が有する第１制御部１３１へと送出する。第１制御部１３１は第１オンエア情報１２１を受信したメモリ１３３に記憶する（Ｓ３０２）。
ここで第１制御部１３１は計時フラグのＯｎ、Ｏｆｆの判定を行う（Ｓ３０３）。この判定の結果計時フラグがＯｆｆだった場合、第１制御部１３１はタイマ１３２を制御して所定の経時時間の計時を行わせる（Ｓ３０４）。
【００５２】
第１制御部１３１はこのタイマ１３２の制御と同時に計時フラグをＯｎにする（Ｓ３０５）。この後、第１制御部１３１は、第２放送送出装置２０に対して、オンエア情報送信要求信号を送出する。第１制御部１３１はオンエア情報送信要求信号に基づいて第２放送送出装置２０から送出された第２オンエア情報２２１を受信する（Ｓ３０９）。
Ｓ３０３での判定の結果計時フラグがＯｎだった場合（すなわちタイマ１３２による計時がなされている場合）、第１制御部１３１はタイマ１３２による計時の時間が所定秒経過しているかどうかの判定を行う（Ｓ３０６）。
【００５３】
この判定の結果、タイマ１３２による計時の時間が所定秒に満たない場合は第１制御部１３１は差異判定を終了する。すなわち第１判定部１３による現在送出中の第１番組映像データの第１オンエア情報１２１に対する第２番組映像データの第２オンエア情報２２１の差異は判定されない。
Ｓ３０６での判定の結果、タイマ１３２による計時の時間が所定秒経過していた場合、第１制御部１３１は差異判定を継続する。
【００５４】
この差異判定の継続はまず第１制御部１３１がタイマ１３２を制御して計時のリセットを行う（Ｓ３０７）。
第１制御部１３１は、第２放送送出装置２０に対して、オンエア情報送信要求信号を送出する。第１制御部１３１はオンエア情報送信要求信号に基づいて第２放送送出装置２０から送出された第２オンエア情報２２１を受信する（Ｓ３０８）。
第１制御部１３１は受信した第２オンエア情報２２１と、メモリ１３３に記憶した第１オンエア情報（Ｓ３０２）とを比較し、差異の有無の判定を行う（Ｓ３０９）。
【００５５】
この判定の結果、第１オンエア情報１２１と第２オンエア情報２２１とに差異があった場合、第１制御部１３１はカウンタ１３４を制御してオンエア情報の不一致回数をカウントさせる（Ｓ３１０）。
次に第１制御部１３１はカウンタ１３４による不一致回数のカウント回数が所定数カウントされたかの判定を行う（Ｓ３１１）。この判定の結果、カウンタ１３４による不一致回数のカウントが所定数以下だった場合、第１制御部１３１は差異判定処理を終了する。
【００５６】
すなわち、現在送出中の第１番組映像データの第１オンエア情報１２１に対する第２番組映像データの第２オンエア情報２２１の比較は行われるが、アラームの発音などは行われない。
Ｓ３１１での判定の結果、カウンタ１３４による不一致回数のカウントが所定数より多かった場合、第１制御部１３１はカウンタ１３４のカウントをリセットする。そして第１報知部１４を制御してアラーム装置４０にアラームの発音およびエラー表示を行わせる。
第１報知部１４の制御に基づいてスピーカ４１によってアラームが発音される。
【００５７】
第１報知部１４の制御に基づいてモニタ４２によってエラー表示が行われる（Ｓ３１２、２１３）。
第１制御部１３１はアラームフラグをＯｎにし（Ｓ３１４）差異判定を終了する。
Ｓ３０９での判定の結果、第２オンエア情報と第１オンエア情報とに差異が無かった場合、第１制御部１３１はアラームフラグがＯｎかどうかの判定を行う（Ｓ３１５）。
この判定の結果、アラームフラグがＯｎでは無かった場合、第１制御部１３１は差異判定を終了する。
【００５８】
Ｓ３１５判定の結果、アラームフラグがＯｎだった場合、第１制御部１３１は第１報知部１４を制御してスピーカ４１のアラームの発音を停止させる（Ｓ３１６）。なお、アラームの発音を停止させる際に、エラーが復帰したこと示すアラーム音をスピーカ４１に発音させてもよい。
第１制御部１３１はアラームフラグをＯｆｆにする（Ｓ３１７）。第１制御部１３１は第１報知部１４を制御してモニタ４２にエラー復帰メッセージを表示させ、差異判定を終了する（Ｓ３１９）。
【００５９】
次に図４を用いて第２判定部２３による現在送出中の第２番組映像データ２２の第２オンエア情報２２１に対する第１番組映像データの第１オンエア情報１２１の差異判定について説明する。すなわち図４は第２判定部２３の差異判定動作を示すフローチャートである。
まずＡＰＣ５が放送制御信号を放送送出装置２０に送出する（Ｓ４０１）。このとき放送制御信号は第１の放送送出装置１０にも同報送信される。
【００６０】
この放送制御信号に基づいて放送送出装置２０は第２データベース２２に蓄積されている第２オンエア情報２２１を第２判定部２３が有する第２制御部２３１へと送出する。第２制御部２３１は第２オンエア情報２２１をメモリ２３３に記憶する（Ｓ４０２）。
ここで第２制御部２３１は計時フラグのＯｎ、Ｏｆｆの判定を行う（Ｓ４０３）。
この判定の結果計時フラグがＯｆｆだった場合、第２制御部２３１はタイマ２３２を制御して所定の経時時間の計時を行わせる（Ｓ４０４）。第２制御部２３１はこのタイマ２３２の制御と同時に計時フラグをＯｎにする（Ｓ４０５）。
【００６１】
この後、第２制御部２３１は、第１放送送出装置１０に対して、オンエア情報送信要求信号を送出する。第２制御部２３１は、このオンエア情報送信要求信号に基づいて第１放送送出装置１０から送出された第１オンエア情報１２１を受信する（Ｓ４０９）。
Ｓ４０３での判定の結果計時フラグがＯｎだった場合（すなわちタイマ２３２による計時がなされている場合）、第２制御部２３１はタイマ２３２による計時の時間が所定秒経過しているかどうかの判定を行う（Ｓ４０６）。
【００６２】
この判定の結果、タイマ２３２による計時の時間が所定秒に満たない場合は第２制御部２３１は差異判定を終了する。すなわち第２判定部２３による現在送出中の第２番組映像データの第２オンエア情報２２１に対する第１番組映像データの第１オンエア情報１２１の差異は判定されない。
Ｓ４０６での判定の結果、タイマ２３２による計時の時間が所定秒経過していた場合、第２制御部２３１は差異判定を継続する。
【００６３】
この差異判定の継続はまず第２制御部２３１がタイマ２３２を制御して計時のリセットを行う（Ｓ４０７）。
第２制御部２３１は、第１放送送出装置１０に対して、オンエア情報送信要求信号を送出する。第２制御部２３１は、このオンエア情報送信要求信号に基づいて第１放送送出装置１０から送出された第１オンエア情報１２１を受信する（Ｓ４０８）。
第２制御部２３１は受信した第１オンエア情報１２１と、メモリ２３３に記憶した第２オンエア情報２２１とを比較し、差異の有無の判定を行う（Ｓ４０９）。
【００６４】
この判定の結果、第１オンエア情報と第２オンエア情報とに差異があった場合、第２制御部２３１はカウンタ２３４を制御してオンエア情報の不一致回数をカウントさせる（Ｓ４１０）。
次に第２制御部２３１はカウンタ２３４による不一致回数のカウント回数が所定数カウントされたかの判定を行う（Ｓ４１１）。この判定の結果、カウンタ２３４による不一致回数のカウントが所定数以下だった場合、第２制御部２３１は差異判定を終了する。
【００６５】
すなわち、現在送出中の第２番組映像データの第２オンエア情報に対する第１番組映像データの第１オンエア情報の比較は行われるが、アラームの発音などは行われない。
Ｓ４１１での判定の結果、カウンタ２３４による不一致回数のカウントが所定数より多かった場合、第２制御部２３１はカウンタ２３４のカウントをリセットする。そして第２報知部２４を制御してアラーム装置４０にアラームの発音およびエラー表示を行わせる。
第２報知部２４の制御に基づいてスピーカ４１によってアラームが発音される。第２報知部２４の制御に基づいてモニタ４２によってエラー表示が行われる（Ｓ４１２、３１３）。
【００６６】
第２制御部２３１はアラームフラグをＯｎに設定し（Ｓ４１４）差異判定を終了する。
Ｓ４０９での判定の結果、第１オンエア情報と第２オンエア情報とに差異が無かった場合、次に第２制御部２３１はアラームフラグがＯｎかどうかの判定を行う（Ｓ４１５）。
この判定の結果、アラームフラグがＯｎでは無かった場合、第２制御部２３１は差異判定を終了する。
一方、上記Ｓ４１５の判定の結果、アラームフラグが“Ｏｎ”になっていた場合、第２制御部２３１は第２報知部２４を制御してスピーカ４１のアラームの発音を停止させた後（Ｓ４１６）、アラームフラグをＯｆｆにする（Ｓ４１７）。
【００６７】
なお、アラームの発音を停止させる際に、エラーが復帰したこと示すアラーム音をスピーカ４１に発音させてもよい。
その後、第２制御部２３１は第２報知部２４を制御してモニタ４２にエラー復帰メッセージを表示させ、差異判定を終了する（Ｓ４１８）。
以上説明したように、この実施形態の放送システム１によれば、第１の放送送出装置１０に、第１比較部１３および第１報知部１４を設けると共に、第２の放送送出装置２０には、第２比較部２３および第２報知部２４を設けたことで、例えばメインの送出系である第１の放送送出装置１０からの番組映像データを放送中に、第１オンエア情報に対する第２オンエア情報に差異が生じた場合、モニタ４２にそれぞれの装置１０、２０からの差異情報をメッセージで表示するので、第１の放送送出装置１０では送出している番組のどの部分がどう違うか、第２の放送送出装置２０では、送出している番組のどの部分がどう違うかがオペレータが一目で判別でき、必要に応じて切替ユニット３０の適切なデータをスイッチ操作で切り替えて放送することができる。
【００６８】
すなわち、オペレータは、一方の放送系統が送出する放送信号と他方の放送系統が送出する放送信号との違いを画面で確かめることができるので、第１の放送送出装置１０から送出中の番組映像データと同等のはずの第２の放送送出装置２０の番組映像データとの違いを確実に発見することができる。
また、第１オンエア情報１２１と第２オンエア情報２２１との比較に際しては、タイマ１３２、２３２を有することで比較の実行間隔を容易に調整することができる。カウンタ１３４、２３４を有することで、偶発的なオンエア情報の不一致の判定を防止することができる。
【００６９】
なお、本願発明は、上記実施の形態のみに限定されるものではなく、実施段階ではその要旨を逸脱しない範囲で構成要素を変形することができる。また上記実施形態に開示されている複数の要素を適宜組み合わせることにより。種々の発明を構成することができる。
この場合の実施形態を、図５に示す。すなわち図５は本発明の他の実施形態を示す放送システム１００のブロック図である。
（第２の実施形態）
同図に示すようにこの実施形態の放送システム１００はＡＰＣ５、放送送出装置１１０、、切替ユニット３０、アラーム装置４０、エンコーダ５０を備える。
【００７０】
放送送出装置１１０は、第１の送出部１１、第１データベース１２、第１判定部１３、第１報知部、第２の送出部２１、第２データベース２２、第２判定部２３、第２報知部を備える。その他の構成や動作については第１の実施形態と同様であるので対応箇所に同一符号を付けて詳細な説明な省略する。
第１の送出部１１、第１データベース１２、第１判定部１３、第１報知部、はメインの番組放送用の機器（第１放送系統）である。第２の送出部２１、第２データベース２２、第２判定部２３、第２報知部はバックアップ用の番組放送用の機器（第２放送系統）である。
【００７１】
このように構成された放送システム１００ではまずＬＡＮを介してＡＰＣ５は放送制御信号を放送送出装置１１０へ送出する。この放送制御信号の送信は放送送出装置１１０に備えられた第１の送出部１１、第２の送出部２１への同報送信である。
第１送出部１１はＡＰＣ５からの放送制御信号を受信する。第１送出部１１は受信した放送制御信号に基づいて、予め第１データベース１２に蓄積された第１オンエア情報１２１と番組の番組素材１２２とを読み出して第１番組映像データとして切替ユニット３０へ送出する。
【００７２】
第１送出部１１は、切替ユニット３０に第１番組映像データを送出する際に、第１判定部１３にこの第１番組映像データに対応する第１オンエア情報１２１を送出する。
第１制御部１３１は第１送出部１１が送出した第１オンエア情報１２１を受信する。第１制御部１３１は、受信した第１オンエア情報１２１をメモリ１３３に記億させる。
第１制御部１３１はタイマ１３２を制御して所定の時間を計時させる。
第１判定部１３と第２判定部２３とは通信可能に接続されている。
【００７３】
第１制御部１３１は、第２制御部２３１に対して、第２のオンエア情報２２２を第１制御部１３１に対して送出させるためのオンエア情報送信要求信号を送出する。すなわち第１制御部１３１は第２オンエア情報２２１を受信する。
第１制御部１３１は、受信した第２オンエア情報２２１をメモリ１３３に記憶する。
第１制御部１３１は、メモリ１３３に記憶させた第１オンエア情報１２１と第２オンエア情報２２１とを比較してこれらのオンエア情報の差異の有無を判定する。
【００７４】
すなわち第１制御部１３１による差異の判定は、第１送出部１１が現在切替ユニット３０に対して送出中の第１番組映像データの第１オンエア情報１２１に対する第２番組映像データの第２オンエア情報２２１の差異である。
第１制御部１３１は第１制御部１３１による判定の結果、第１オンエア情報１２１と第２オンエア２２２情報に差異があった場合、カウンタ１３４を制御して不一致回数をプラス１加算する。
【００７５】
第１制御部１３１はカウンタ１３４による第１オンエア情報１２１と第２オンエア情報２２１との差異のカウント数、つまり不一致回数が所定数に達した場合、第１報知部１４を制御してアラーム装置４０にアラームを発音およびまたはエラーメッセージの表示を行わせる。
第２送出部２１は第１送出部１１と同様にＬＡＮなどのネットワークを介してＡＰＣ５からの放送制御信号を受信する。第２送出部２１は受信した放送制御信号に基づいて、予め第２データベース２２に蓄積された第２オンエア情報２２１と番組素材２２２とを読み出して第２番組映像データとして切替ユニット３０へ送出する。
【００７６】
第２送出部２１は、切替ユニット３０に第２番組映像データを送出する際に、第２判定部２３にこの第２番組映像データに対応する第２オンエア情報２２１を送出する。
第２判定部２３は第２送出部２１から送出された第２オンエア情報２２１と第１の放送送出装置１０から受信した第１オンエア情報１２１とを比較し、これらオンエア情報１２１、２２１の差異の有無を判定する。
第２判定部２３と第１判定部１３とは例えばＬＡＮを介して通信可能に接続されている。
【００７７】
第２制御部２３１は、第１制御部１３１に対して第１のオンエア情報１２１を第２制御部２３１に対して送出するためのオンエア情報送信要求信号を送出する。すなわち第２制御部２３１は第１オンエア情報１２１を受信する。
第２制御部２３１は、受信した第１オンエア情報１２１をメモリ２３３に記憶する。すなわち第２制御部２３１は、第２オンエア情報２２１と第１オンエア情報１２１とをメモリ２３３に記憶する。
【００７８】
第２制御部２３１は、メモリ２３３に記憶させた第２オンエア情報２２１と第１オンエア情報１２１とを比較してこれらのオンエア情報の差異の有無を判定する。
すなわち第２制御部２３１による差異の判定は、第２送出部２１が現在切替ユニット３０に対して送出中の第２番組映像データの第２オンエア情報２２１に対する第１番組映像データの第１オンエア情報１２１の差異である。
第２制御部２３１は第２制御部２３１による判定の結果、第２オンエア情報２２１と第１オンエア１２２情報に差異があった場合、カウンタ２３４を制御して不一致回数をプラス１加算する。
【００７９】
第２制御部２３１はカウンタ２３４による第２オンエア情報２２１と第１オンエア情報１２１との差異のカウント数、つまり不一致回数が所定数に達した場合、第２報知部２４を制御してアラーム装置４０にアラームを発音およびまたはエラーメッセージの表示を行わせる。
このように構成された放送送出装置１１０では一つの装置で、第１番組映像データの第１オンエア情報１２１に対する第２番組映像データの第２オンエア情報２２１の差異およびまたは第２番組映像データの第２オンエア情報２２１に対する第１番組映像データの第１オンエア情報１２１の差異の判定を行う事ができる。
【００８０】
（その他の実施形態）
本願発明は、上記実施形態に開示された全構成要素からいくつかの構成要素を削除してもよい。この場合には例えば、タイマ１３２、２３２、カウンタ１３４、２３４のいずれかを適宜削除することができる。
【図面の簡単な説明】
【００８１】
【図１】本発明の一つの実施形態の放送システム１の構成を示すブロック図である。
【図２】モニタ４２の表示の一例を示す概念図である。
【図３】第１判定部１３の差異判定動作を示すフローチャートである。
【図４】第２判定部２３の差異判定動作を示すフローチャートである。
【図５】発明の他の実施形態の放送システム１００の構成を示すブロック図である。
【符号の説明】
【００８２】
１，１００…放送システム、５…ＡＰＣ（自動番組運行装置）、１０…第１放送送出装置、１１…第１送出部、１１０…放送送出装置、１２…第１データベース、１３…第１判定部、１４…第１報知部、２０…第２放送送出装置、２１…第２送出部、２２…第２データベース、２３…第２判定部、２４…第２報知部、３０…切替ユニット、４０…アラーム装置、５０…エンコーダ。
【図１】
2008236051.tif 000003
【図２】
2008236051.tif 000004
【図３】
2008236051.tif 000005
【図４】
2008236051.tif 000006
【図５】
2008236051.tif 000007